(57)【要約】【課題】撮影した画像を、本人のみが見ることができ、しかも、第三者には秘匿画像が保存されていることが分からない撮影装置を提供すること。【解決手段】第１の操作と前記第１の操作とは異なる第２の操作を検出する検出部１８と、第１記録部１４に記録された第１の撮影データあるいは第２記録部１６に記録された第２の撮影データを表示する表示部２と、前記検出部１８にて、前記第１の操作が検出された場合に、前記第１記録部１４に記録された第１の撮影データを前記表示部２に表示させ、前記検出部１８にて、前記第２の操作が検出された場合に、前記第２記録部１６に記録された第２の撮影データを前記表示部２に表示させる制御部１２と、を有する撮影装置。【選択図】図２
2009212563.tif 000002
【特許請求の範囲】
【請求項１】
第１の操作と前記第１の操作とは異なる第２の操作を検出する検出部と、
第１記録部に記録された第１の撮影データあるいは第２記録部に記録された第２の撮影データを表示する表示部と、
前記検出部にて、前記第１の操作が検出された場合に、前記第１記録部に記録された第１の撮影データを前記表示部に表示させ、前記検出部にて、前記第２の操作が検出された場合に、前記第２記録部に記録された第２の撮影データを前記表示部に表示させる制御部と、
を有する撮影装置。
【請求項２】
撮影データを取得する撮影データ取得部を有し、
前記検出部は、第３の操作と前記第３の操作とは異なる第４の操作を検出し、
前記制御部は、前記第３の操作が検出された場合に、前記撮影データ取得部で取得された前記撮影データを前記第１記録部に記録し、前記第４の操作が検出された場合に、前記撮影データ取得部で取得された前記撮影データを前記第２記録部に記録する請求項１に記載の撮影装置。
【請求項３】
前記第２の操作と、前記第４の操作とが同じである請求項２に記載の撮影装置。
【請求項４】
前記検出部は、前記撮影装置に装着してある複数のスイッチの内の二以上のスイッチが同時にオンされたことを検出した場合に、前記第２の操作として検出する請求項１〜３のいずれかに記載の撮影装置。
【請求項５】
前記検出部は、前記撮影装置に装着してある複数のスイッチの内の二以上のスイッチが同時にオンされたことを検出した場合に、前記第４の操作として検出する請求項２または３に記載の撮影装置。
【請求項６】
前記検出部では、前記撮影装置の撮影部で撮影された撮影データのうちから特定の撮影データを検出した場合に、前記第２の操作として検出する請求項１〜３のいずれかに記載の撮影装置。
【請求項７】
前記検出部では、前記撮影データ取得部で取得された撮影データのうちから特定の撮影データを検出した場合に、前記第４の操作として検出する請求項２または３に記載の撮影装置。
【請求項８】
前記検出部にて検出される前記第２の操作を変更する操作変更部をさらに有する請求項１〜７のいずれかに記載の撮影装置。
【請求項９】
前記第２記録部に記憶してある撮影データを、前記第１記録部に移動させることが可能になっている請求項１〜８のいずれかに記載の撮影装置。
【発明の詳細な説明】
【技術分野】
【０００１】
本発明は、たとえばデジタルカメラなどの撮影装置に関する。
【背景技術】
【０００２】
フィルム式カメラでは、撮影した画像フィルムを現像処理しないと、撮影済の画像を見ることはできなかった。これに対して、デジタルカメラなどの撮影装置では、過去に撮影した画像を、カメラの表示部に瞬時に表示することが可能であり便利である（特許文献１参照）。
【０００３】
デジタルカメラで撮影した画像は、撮影した本人にとっては非常に便利であるが、カメラを渡された第三者も容易に画像を見ることができ、プライバシーの点で問題がある。撮影した画像を、本人のみが見ることができるようにしたい場合がある。たとえば防犯上の内偵にカメラを使用する場合などである。
【０００４】
そこで、本人のみが知っているキーワードを入力しないと、撮影した画像を見ることができないようにすることも考えられる。しかしながら、そのような構成にすると、キーワード入力画面が必要となり、そのキーワード入力画面が表示されることにより、秘密にしておきたい撮影画像が保存されているということが第三者に知られてしまう。
【特許文献１】特開２００６−２７６６９５号公報
【発明の開示】
【発明が解決しようとする課題】
【０００５】
本発明は、このような実状に鑑みてなされ、その目的は、撮影した画像を、本人のみが見ることができ、しかも、第三者には秘匿画像が保存されていることが分からない撮影装置を提供することである。
【課題を解決するための手段】
【０００６】
上記目的を達成するために、本発明に係る撮影装置は、
第１の操作と前記第１の操作とは異なる第２の操作を検出する検出部（１８）と、
第１記録部（１４）に記録された第１の撮影データあるいは第２記録部（１６）に記録された第２の撮影データを表示する表示部（２）と、
前記検出部（１８）にて、前記第１の操作が検出された場合に、前記第１記録部（１４）に記録された第１の撮影データを前記表示部（２）に表示させ、前記検出部（１８）にて、前記第２の操作が検出された場合に、前記第２記録部（１６）に記録された第２の撮影データを前記表示部（２）に表示させる制御部（１２）と、
を有する。
【０００７】
本発明の撮影装置では、たとえば第１記録部（１４）には、秘密性のない第１の撮影データを記録しておき、第２記録部（１６）には、秘密にしておきたい第２の撮影データを記録しておくことができる。しかも、秘密性のないデータを表示させる第１の操作と、秘密性がある撮影データを表示させる第２の操作とを別にすることで、秘密性がある画像データを、本人のみが見ることができ、しかも、秘密性がある画像が保存されていることが第三者には分からないようにすることができる。
【０００８】
好ましくは、本発明の撮影装置は、撮影データを取得する撮影データ取得部（１０）を有し、
前記検出部（１８）は、第３の操作と前記第３の操作とは異なる第４の操作を検出し、
前記制御部（１２）は、前記第３の操作が検出された場合に、前記撮影データ取得部（１０）で取得された前記撮影データを前記第１記録部（１４）に記録し、前記第４の操作が検出された場合に、前記撮影データ取得部（１０）で取得された前記撮影データを前記第２記録部（１６）に記録してもよい。
【０００９】
たとえば第３の操作では、秘密性のない画像を第１の撮影データとして第１記録部（１４）に記録し、第４の操作では、秘密性がある画像を第２の撮影データとして記録しておくことができる。
【００１０】
前記第２の操作と、前記第４の操作とは、同じであっても異なっていても良い。
【００１１】
前記検出部（１８）は、前記撮影装置に装着してある複数のスイッチの内の二以上のスイッチが同時にオンされたことを検出した場合に、前記第２の操作として検出しても良い。また、前記検出部（１８）は、前記撮影装置に装着してある複数のスイッチの内の二以上のスイッチが同時にオンされたことを検出した場合に、前記第４の操作として検出しても良い。
【００１２】
二以上のスイッチを同時にオンするような操作は、通常の操作では行わないことが一般的である。そのような操作が検出された場合にのみ、秘密性のある第２の撮影データを表示したり、記録できるようにすれば、通常の操作では、秘密性のある第２の撮影データを取り扱えない。
【００１３】
前記検出部（１８）では、前記撮影装置の撮影部で撮影された撮影データのうちから特定の撮影データを検出した場合に、前記第２の操作として検出しても良い。また、前記検出部（１８）では、前記撮影データ取得部（１０）で取得された撮影データのうちから特定の撮影データを検出した場合に、前記第４の操作として検出しても良い。このように構成することで、たとえば本人のみが知っている特定の撮影データを撮影することで、秘密性のある第２の撮影データを表示したり、記録したりできる。
【００１４】
撮影装置は、前記検出部（１８）にて検出される前記第２の操作を変更する操作変更部をさらに有しても良い。第２の操作を変更することで、秘密性のある第２の撮影データを、第三者が表示することがより困難になり、安全性が高まる。
【００１５】
前記第２記録部（１６）に記憶してある撮影データを、前記第１記録部（１４）に移動させることを可能にしても良い。この場合には、秘密性が無くなった撮影データを、本人以外の第三者にも見せることが容易になる。
【００１６】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は本発明の一実施形態に係るコンパクト式デジタルカメラの背面図、
図２は図１に示すカメラの制御を示すブロック図、
図３および図４は図２に示すブロック図のフローチャート図である。
【００１８】
図１に示すように、デジタルカメラ１の背面などには、撮影中、あるいは撮影済の画像を表示する表示部２と、各種の設定や操作を行うためのスイッチ３〜７と、シャッタスイッチ８とが設けられている。表示部２は、たとえば液晶表示装置などの平面表示装置で構成される。
【００１９】
図２に示すように、デジタルカメラ１は、光学レンズ、絞り機構、シャッタ機構、撮像素子などを含む撮影部１０を有し、撮影部１０は、ＣＰＵ１２により制御される。ＣＰＵ１２は、各種の設定記憶部などを含み、表示部２の表示を制御すると共に、各種スイッチ３〜７およびシャッタスイッチ８からの出力信号が入力され、カメラ内各種機器を制御するようになっている。
【００２０】
また、ＣＰＵ１２は、記録部１４および秘匿記録部１６とも接続してあり、撮影した画像データを、後述するアルゴリズムにより選択的に、いずれかの記録部１４または１６に記録し、選択的に画像データを表示部２に表示可能になっている。記録部１４および１６は、カメラの内部に内蔵してあるメモリであっても良いし、着脱自在なメモリでも良い。また、記録部１４および１６は、同一のメモリ装置（記録媒体）内に設けられてもよい。そしてそのメモリ装置の内部にそれぞれ割り当てられた記録領域であっても良い。
【００２１】
また、記録部１４および１６のいずれか一方のみを、着脱自在なメモリとしても良い。着脱自在なメモリとしては、たとえばメモリカード、メモリディスクなどが例示される。カメラに内蔵されるメモリとしては、ＥＥＰＲＯＭなどの不揮発性メモリなどが例示される。
【００２２】
本実施形態では、各種スイッチ３〜７には、秘匿モード検出部１８と秘匿モード変更部２０とが接続してある。秘匿モード検出部１８は、シャッタスイッチ８、秘匿モード変更部２０、撮影部１０およびＣＰＵ１２に接続してある。秘匿モード変更部２０は、撮影部１０およびＣＰＵ１２にも接続してある。
【００２３】
秘匿モード検出部１８は、シャッタスイッチ８または各種スイッチ３〜７からの出力信号に基づき、記録部１４または秘匿記録部１６のいずれかからの画像データを表示部２に表示させるかを選択する部分である。また、秘匿モード検出部１８は、シャッタスイッチ８または各種スイッチ３〜７からの出力信号に基づき、記録部１４または秘匿記録部１６のいずれへ撮影した画像データを記録させるかを選択する部分でもある。
【００２４】
たとえば各種スイッチ３〜７の内で、通常の再生スイッチ（各種スイッチ３〜７の内の１つのスイッチ）が押された場合には、その出力信号に基づき、秘匿モード検出部１８は、通常の再生スイッチが押されたと判断し、ＣＰＵ１２は、記録部１４に記録してある画像データを、表示部２に表示させる。通常の再生スイッチは、第三者でも押すことができるように設定された再生スイッチである。
【００２５】
また、各種スイッチ３〜７の内で、たとえば通常の再生スイッチと共に、別の特定のスイッチ（各種スイッチ３〜７の内の通常の再生スイッチ以外の少なくとも１つのスイッチ）が同時に押された場合を、秘匿モードの解除スイッチとして設定してある場合には、その操作が行われた場合に、その出力を秘匿モード検出部１８が検知する。その場合には、ＣＰＵ１２は、秘匿モード検出部１８からの信号に基づき、記録部１４ではなく、秘匿記録部１６から画像データを取り出し、表示部２に表示させる。
【００２６】
秘匿記録部１６には、カメラ１の所有者本人のみが再生できるようにしたい画像データが記憶してある。秘匿記録部１６に画像データを記録するには、たとえばシャッタスイッチ８を押すだけではなく、そのスイッチ８を押すと共に、他のスイッチ３〜７の内のいずれか一つ以上が押された場合にのみ行われるようになっている。
【００２７】
あるいは、第三者では知り得ないスイッチを押す、あるいはスイッチ３を二回押した後に、スイッチ４を二回押すなど、その他の操作を行うことで、撮影部１０により撮影した画像データを秘匿記録部１６に記録できるように構成しても良い。また、このような特殊な操作を、秘匿モード検出部１８が検知して、秘匿記録部１６に記録してある過去の画像データを表示部２に表示させることができる。
【００２８】
秘匿モード変更部２０は、秘匿記録部１６へのアクセス許可方法を変更するための部分であり、アクセス変更は、各種スイッチ３〜７を操作することにより、あるいは、撮影部１０によって撮影された特定画像データがトリガー信号となって行われる。
【００２９】
たとえばシャッタスイッチ８と共に、各種スイッチ３〜７の内のスイッチ３を一緒に押すことで、秘匿記録部１６への画像データの記録が許可される設定であったのを、秘匿モード変更部２０では、その設定を変更することができる。
【００３０】
秘匿モード変更部２０で設定を変更するためには、たとえばシャッタスイッチ８と共に、スイッチ３を押した後に、別のスイッチ４〜６のいずれかを押せば良い。そうすることで、秘匿記録部１６へのアクセス許可方法が、スイッチ８とスイッチ４〜６のいずれかとを同時に押すことに切り替わる。
【００３１】
また、アクセス変更が、撮影部１０によって撮影された特定画像データがトリガー信号となって行われる場合には、たとえば予め決められた特定画像を撮影すると、その画像を秘匿モード変更部が検出し、秘匿モード検出部１８に信号を送る。そして、その次に行われる操作が、秘匿モード検出部に記憶され、以後は、その操作により、秘匿記録部１６へのアクセスが許可される。次に行われる操作は、スイッチ３〜８の操作でも良く、あるいは、別の特定画像の撮影でも良い。特定画像としては、たとえば三次元バーコードでも良いが、一般的な画像であっても良い。
【００３２】
また、秘匿記録部１６から画像データを読み出して表示部２へ表示させる際のアクセス許可方法も、同様にして行うことができる。たとえば通常の再生スイッチを押すと共に、別の特定のスイッチを押した後に、さらに別のスイッチを押すことで読み出し用のアクセス許可方法を変更できるようにしても良い。
【００３３】
次に、図３および図４に基づき、秘匿記録部１６への画像データの記録と読み出しについて説明する。なお、撮影部１０にて撮影された画像データを記録部１４へ記録することは、シャッタスイッチ８を単に押すことで行われる。また、記録部１４からの画像データの読み出しは、通常の再生スイッチを押すことで行われる。これらの操作は、本人以外の第三者でも容易に行うことができる。
【００３４】
図３に示すステップＳ１では、秘匿の設定モードに入り、図２に示すＣＰＵ１２は、各種スイッチ３〜７およびシャッタスイッチ８などからの入力待ちとなる。ステップＳ２では、秘匿撮影データを記録するため、あるいは秘匿撮影データを表示するために必要な操作を設定または再設定する。
【００３５】
必要な操作の設定または再設定は、上述したように、ＣＰＵ１２からの秘匿記録部１６へのアクセス許可の設定または再設定と同様である。たとえばシャッタスイッチ８と共に、スイッチ３を押した後に、別のスイッチ４〜６のいずれかを押せば良い。そうすることで、秘匿記録部１６へのアクセス許可方法が、シャッタスイッチ８と共にスイッチ３を押すことから、スイッチ８とスイッチ４〜６のいずれかとを同時に押すことに切り替わる。
【００３６】
次に、ステップＳ３では、図２に示すＣＰＵ１２に制御信号に基づき、撮影部１０による撮影動作を行い、秘匿モードの場合には、その画像は、ステップＳ４にて、秘匿記録部１６に記憶される。その後は、ステップＳ５にて、秘匿モードの動作が終了する。
【００３７】
図２に示す秘匿記録部１６に記憶してある画像データを読み出して表示部２に表示させる場合には、まず、図４に示すステップＳ１０にて、図２に示す秘匿モード検出部１８が、各種スイッチ３〜７からの特定操作の入力信号を監視する。あるいは、秘匿モード検出部１８は、撮影部１０から特定画像が入力されたかを監視する。
【００３８】
秘匿モード検出部１８が、各種スイッチ３〜７からの特定操作の入力信号を受け取れば、あるいは、撮影部１０から特定画像が入力されたことを検出した場合には、秘匿記録部１６へのアクセスが許可されたと判断する。その場合には、図４に示すステップＳ１１にて、ＣＰＵ１２は、秘匿記録部１６に記録されている画像データを表示部２に表示する。
【００３９】
その後に、秘匿モードの途中で、ＣＰＵ１２は、たとえば表示部２に、秘匿記録部１６に記録してある画像データを通常の記録部１４に移すか否かを表示する。それに応じて、操作者が、スイッチ３〜７のいずれかを操作することにより、あるいは、タッチパネルにより、通常の記録部１４に移すことを選択した場合には、図４に示すステップＳ１２およびＳ１３に移る。
【００４０】
ステップＳ１２およびＳ１３では、秘匿記録部１６に記録してある画像データを、通常の記録部１４に記録する。その後は、ステップＳ１４に示すように、通常の記録部１４に記録された画像データは、通常時に撮影された画像データと同様にして、第三者でも再生や消去が可能になる。その後は、ステップＳ１５にて、図２に示すＣＰＵ１２は、スイッチ３〜８からの入力待ち状態となる。
【００４１】
なお、本実施形態の撮影装置としては、カメラの種類は特に限定されない。また、スチルカメラに限らず、ビデオカメラ、顕微鏡、携帯電話などの光学機器であってもよい。
【図面の簡単な説明】
【００４２】
【図１】図１は本発明の一実施形態に係るコンパクト式デジタルカメラの背面図である。
【図２】図２は図１に示すカメラの制御を示すブロック図である。
【図３】図３は図２に示すブロック図のフローチャート図である。
【図４】図４は図２に示すブロック図のフローチャート図である。
【符号の説明】
【００４３】
１…  デジタルカメラ
２…  表示部
３〜７…  各種スイッチ
８…  シャッタスイッチ
１０…  撮影部
１２…  ＣＰＵ
１４…  記録部
１６…  秘匿記録部
１８…  秘匿モード検出部
２０…  秘匿モード変更部
【図１】
2009212563.tif 000003
【図２】
2009212563.tif 000004
【図３】
2009212563.tif 000005
【図４】
2009212563.tif 000006